(57)【特許請求の範囲】
【請求項１】
ディスク再生駆動機構の前方に配置された前面パネルに形成されるディスク挿排口を通してディスク状記録媒体の前記ディスク再生駆動機構への引き込み及び前記ディスク再生駆動機構からの排出がなされるディスク装置であって、
前記前面パネルから突出し、前面に前記ディスク挿排口の形成された突出形状部と、
前記突出形状部において前記ディスク挿排口の少なくとも一部の前後方向位置を可変にする挿排口位置可変機構とを有することを特徴とするディスク装置。
【請求項２】
前記挿排口位置可変機構は、前記ディスク挿排口のその中央部を含む少なくとも一部の前後方向位置を可変にすることを特徴とする請求項１記載のディスク装置。
【請求項３】
前記挿排口位置可変機構は、前記突出形状部の少なくとも一部であって、前記ディスク再生駆動機構側の引き込み位置と初期位置との間で移動可能となる可動部を有することを特徴とする請求項１または２記載のディスク装置。
【請求項４】
前記可動部は、前記突出形状部における前記ディスク挿排口から上方及び下方の少なくとも一方の部位となることを特徴とする請求項３記載のディスク装置。
【請求項５】
前記挿排口位置可変機構は、前記可動部を前記初期位置に付勢する付勢手段とを有することを特徴とする請求項３または４記載のディスク装置。
【請求項６】
前記挿排口位置可変機構は、前記ディスク再生駆動機構から前記ディスク挿排口を通して排出される前記ディスク状記録媒体に係合し、その移動するディスク状記録媒体の動きに応じて前記可動部を前記引き込み位置に移動させる駆動機構を有することを特徴とする請求項３または４記載のディスク装置。
【請求項７】
前記挿排口位置可変機構は、
前記可動部を前記初期位置に付勢する付勢手段と、
前記引き込み位置に移動された前記可動部を当該引き込み位置にてロックするロック機構と、
前記ディスク再生駆動機構から前記ディスク挿排口を通して排出された前記ディスク状記録媒体に係合し、ディスク状記録媒体を前記ディスク挿排口から引き出す際の当該ディスク状記録媒体の動きに応じて前記ロック機構による前記ディスク状記録媒体のロック状態を解除するロック解除機構とを有することを特徴とする請求項３または４記載のディスク装置。
【請求項８】
前記可動部は、前記ディスク再生駆動機構からディスク状記録媒体の排出指示を行なうための排出スイッチを兼ねることを特徴とする請求項６または７記載のディスク装置。
【発明の詳細な説明】
【技術分野】
【０００１】
本発明は、ディスク再生駆動機構の前方に配置された前面パネルに形成されるディスク挿排口を通してＣＤ（Compact Disc）、ＤＶＤ（Digital Versatile Disc）等のディスク状記録媒体の前記ディスク再生駆動機構への引き込み及び前記ディスク再生駆動機構からの排出がなされるようにしたディスク装置に関する。
【背景技術】
【０００２】
ディスク再生駆動機構を有するディスク装置では、そのディスク再生駆動機構の前方にディスク挿排口の形成された前面パネルが配置されている。そして、ディスク挿排口に挿入されたＣＤ等のディスク状記録媒体（以下、単にディスクという）が前記ディスク再生駆動機構に引き込まれ、該ディスク再生駆動機構によって前記ディスクから音楽、映像等のオーディオコンテンツが再生される。また、前記ディスク再生駆動機構から送り出されるディスクは前面パネルの前記ディスク挿排口を通して排出される。
【０００３】
ディスク装置の前面パネルは、一般的にその表面が概ねフラットとなるようにデザインされるものであるが、デザインの多様化にともない、例えば、図１（ａ）に示すように、ディスク再生駆動機構１００の前方に配置される前面パネル１０に、前面にディスク挿排口１１ａの形成された突出形状部１１を形成することが考えられる。このように通常表面が概ねフラットである前面パネル１０に突出形状部１１を形成することで、利用者に対してデザイン的なインパクトを与えることができるようになる。
【０００４】
ところで、前述したように前面パネル１０に突出形状部１１を形成した場合、ディスク再生駆動機構１００から定量だけ送り出されるディスク５０のディスク挿排口１１ａからの排出量が十分でなく、そのディスク５０の手作業による取出しが難しくなる可能性がある。そこで、例えば、特許文献１に記載されるような考え方を利用して、突出形状部１１の前面に部分的に窪みを形成することが考えられる。このようにすれば、突出形状部１１に形成されたディスク挿排口１１ａからディスク５０が十分に排出されなくても、その突出形状部１１に部分的に形成された窪みに指を差し入れてディスク５０を取出すことができるようになる。
【特許文献１】特開平１０−１５４３９０号公報
【発明の開示】
【発明が解決しようとする課題】
【０００５】
しかしながら、前述したように突出形状部１１は、前面パネル１０のデザイン的なインパクトを利用者に与えるために形成されるものであり、その突出形状部１１に窪みを形成することは、もともとのデザインコンセプトに合致しなくなってしまう。
【０００６】
本発明は、このような事情に鑑みてなされたもので、前面パネルの通常時のデザインを変えることなく、排出されるディスクの取り出しを容易に行い得るディスク装置を提供するものである。
【課題を解決するための手段】
【０００７】
本発明に係るディスク装置は、ディスク再生駆動機構の前方に配置された前面パネルに形成されるディスク挿排口を通してディスク状記録媒体の前記ディスク再生駆動機構への引き込み及び前記ディスク再生駆動機構からの排出がなされるディスク装置であって、前記前面パネルから突出し、前面に前記ディスク挿排口の形成された突出形状部と、前記突出形状部において前記ディスク挿排口の少なくとも一部の前後方向位置を可変にする挿排口位置可変機構とを有する構成となる。
【０００８】
このような構成により、前面パネルから突出する突出形状部に形成されたディスク挿排口の少なくとも一部の前後方向位置が可変となるので、ディスク状記録媒体がディスク挿排口を通して排出された際に、前記ディスク挿排口の少なくとも一部の位置を後方（ディスク再生駆動機構側）に変えることにより、相対的にその部分でのディスク状記録媒体の排出量（露出量）を多くすることができる。また、前記ディスク挿排口の少なくとも一部の位置を前記後方の位置より前方の元の位置に戻すことにより、前記ディスク挿排口の少なくとも一部の位置を後方に変えたことにより変形した前記突出形状部を元の形状に戻すことができる。
【０００９】
また、本発明に係るディスク装置において、前記挿排口位置可変機構は、前記ディスク挿排口のその中央部を含む少なくとも一部の前後方向位置を可変にする構成とすることができる。
【００１０】
このような構成により、ディスク状記録媒体がディスク挿排口を通して排出された際に、前記ディスク挿排口のその中央部を含む少なくとも一部の位置を後方に変えることにより、相対的にその部分に対応したディスク状記録媒体の中央部を露出させることができるようになる。その結果、通常その中央部に孔の形成されたディスク状記録媒体をその孔に指をかけて容易に取出すことができるようになる。
【００１１】
また、本発明に係るディスク装置において、前記挿排口位置可変機構は、前記突出形状部の少なくとも一部であって、前記ディスク再生駆動機構側の引き込み位置と初期位置との間で移動可能となる可動部を有する構成とすることができる。
【００１２】
このような構成により、突出形状部の少なくとも一部となる可動部が引き込み位置と初期位置との間で移動可能となるので、ディスク状記録媒体がディスク挿排口を通して排出された際に、可動部が引き込み位置に移動すると、ディスク挿排口の前記可動部に対応した部分の位置が後方に変わり、相対的にその部分でのディスク状記録媒体の排出量（露出量）を多くすることができる。
【００１３】
また、本発明に係るディスク装置において、前記可動部は、前記突出形状部における前記ディスク挿排口から上方及び下方の少なくとも一方の部位となる構成とすることができる。
【００１４】
このような構成により、突出形状部におけるディスク挿排口から上方及び下方の少なくとも一方の部位が可動部として構成されるので、ディスク状記録媒体がディスク挿排口を通して排出された際に、可動部が引き込み位置に移動すると、相対的にその部分でのディスク状記録媒体の表面及び裏面の少なくとも一方の露出量を多くすることができるようになる。
【００１５】
更に、本発明に係るディスク装置において、前記挿排口位置可変機構は、前記可動部を前記初期位置に付勢する付勢手段とを有する構成とすることができる。
【００１６】
このような構成により、可動部が初期位置に付勢されているので、その付勢に抗して前記可動部を引き込み位置に移動させた後に、その付勢に対して抗することを止めると、前記付勢により前記可動部を自動的に初期位置に復帰させることができるようになる。
【００１７】
また、本発明に係るディスク装置において、前記挿排口位置可変機構は、前記ディスク再生駆動機構から前記ディスク挿排口を通して排出される前記ディスク状記録媒体に係合し、その移動するディスク状記録媒体の動きに応じて前記可動部を前記引き込み位置に移動させる駆動機構を有する構成とすることができる。
【００１８】
このような構成により、ディスク状記録媒体がディスク再生駆動機構からディスク排出口を通して排出される過程で、そのディスク状記録媒体の動きに応じて可動部が引き込み位置に移動させられるので、専用の動力源を用いることなく可動部を引き込み位置に移動させることができるようになる。そして、可動部が引き込み位置となったときに、相対的にディスク挿排口の前記可動部に対応した部分でのディスク状記録媒体の排出量（露出量）を多くすることができるようになる。
【００１９】
また、本発明に係るディスク装置において、前記挿排口位置可変機構は、前記可動部を前記初期位置に付勢する付勢手段と、前記引き込み位置に移動された前記可動部を当該引き込み位置にてロックするロック機構と、前記ディスク再生駆動機構から前記ディスク挿排口を通して排出された前記ディスク状記録媒体に係合し、ディスク状記録媒体を前記ディスク挿排口から引き出す際の当該ディスク状記録媒体の動きに応じて前記ロック機構による前記ディスク状記録媒体のロック状態を解除するロック解除機構とを有する構成とすることができる。
【００２０】
このような構成により、初期位置への付勢に抗して可動部を引き込み位置に移動させると当該可動部が当該引き込み位置にてロックされ、その状態で、ディスク再生駆動機構からディスク挿排口通してディスク状記録媒体が排出され得る。このようにディスク状記録媒体が排出されると、可動部が引き込み位置にロックされているので、相対的にディスク挿排口の前記可動部に対応した部分でのディスク状記録媒体の排出量（露出量）を多くすることができるようになる。また、ディスク状記録媒体がディスク挿排口から引き出される際に前記可動部の前記引き込み位置でのロック状態が解除されると、前記付勢によって可動部が初期位置に移動復帰する。
【００２１】
更に、本発明に係るディスク装置において、前記可動部は、前記ディスク再生駆動機構からディスク状記録媒体の排出指示を行なうための排出スイッチを兼ねる構成とすることができる。
【００２２】
このような構成により、ディスク再生駆動機構からディスク挿排口を通してディスク状記録媒体を排出させようとする際に必ず可動部の操作がなされるようにすることができるので、ディスク状記録媒体が排出される際に必ず前記可動部を引き込み位置に移動させることができるようになる。
【発明の効果】
【００２３】
本発明に係るディスク装置によれば、ディスク状記録媒体がディスク挿排口を通して排出された際に、前記ディスク挿排口の少なくとも一部の位置を後方に変えることにより、相対的にその部分でのディスク状記録媒体の排出量（露出量）を多くすることができるので、その排出量（露出量）の多くなったディスク状記録媒体の部分を利用して当該ディスク状記録媒体の取り出しをより容易にすることができるようになる。また、前記ディスク挿排口の少なくとも一部の位置が前記後方の位置より前方の元の位置に戻すことにより、前記ディスク挿排口の少なくとも一部の位置を後方に変えたことにより変形した前記突出形状部を元の形状に戻すことができるので、ディスク状記録媒体を取出した後での前面パネルの突出形状部の変形をなくすことができる。このように本発明に係るディスク装置によれば、前面パネルの定常時のデザインを変えることなく、排出されるディスクの取り出しを容易に行なうことができるようになる。
【発明を実施するための最良の形態】
【００２４】
以下、本発明の実施の形態について、図面を用いて説明する。
【００２５】
本発明の第１の実施の形態に係るディスク装置は、図１及び図２に示すように構成される。なお、図１は、本発明の第１の実施の形態に係るディスク装置の要部の斜視図（ａ）及び正面図（ｂ）であり、図２は、図１におけるＡ−Ａ断面図（ａ）及び可動部が引き込み位置となった状態の同Ａ−Ａ断面図（ｂ）である。
【００２６】
図１（ａ）において、このディスク装置は、ディスク再生駆動機構１００の前方に前面パネル１０が配置されている。前面パネル１０にはその表面から突出する突出形状部１１が形成され、更に突出形状部１１の前面にはディスク挿排口１１ａが形成されている。このディスク装置では、ディスク挿排口１１ａを通してＣＤ等のディスク５０のディスク再生駆動機構１００への引き込み及びディスク再生駆動機構１００から送り出されたディスク５０の排出がなされるようになっている。
【００２７】
図１（ｂ）に示すように、前面パネル１０に形成された突出形状部１１の略中央部分におけるディスク挿排口１１ａから下方の部分は前後方向（図１（ｂ）の紙面に垂直な方向）に摺動自在となる可動部１２となっている。そして、図２（ａ）に示すように、可動部１２の背面と前面パネル１０の背後に配置されたディスク再生駆動機構１００のフロントシャーシ板１０１との間にスプリングを含む付勢機構１３が設けられている。この付勢機構１３によって可動部１２が突出形状部１１の本来の形状を維持する位置（以下、初期位置という）に向けて付勢されている。この状態で、ディスク挿排口１１ａの可動部１２に対応した部分は、他の部分と同様に突出形状部１１の前面位置Ｐ１となる。
【００２８】
例えば、排出スイッチ（図示略）の操作等、イジェクト操作がなされると、ディスク５０が搬送ローラ１１０によってディスク再生駆動機構１００から送り出されて前面パネル１０の突出形状部１１に形成されたディスク挿排口１１ａから排出される。ディスク５０が搬送ローラ１１０の送り限界に達したところで、ディスク５０の排出動が停止する。この状態で、ディスク５０の中央部に形成された孔５１は突出形状部１１の前面（位置Ｐ１）から前方に進み出ていない（図２（ｂ）参照）。
【００２９】
そこで、図２（ｂ）に示すように、付勢機構１３による付勢に抗して可動部１２を所定の引き込み位置まで押し下げて、ディスク挿排口１１ａの可動部１２に対応した部分を位置Ｐ２まで後退させると、相対的にその部分でのディスク５０の露出量が多くなり、ディスク５０の中央部に形成された孔５１が露出するようになる。このため、その露出した孔５１に指をかけてディスク５０を容易に取り出すことができるようになる。また、このディスク５０の取り出しに際して可動部１２の押し込みを解除すると、付勢機構１３による付勢によって可動部１２は初期位置に戻ってディスク挿排口１１ａの可動部１２に対応した部分は突出形状部１１の前面位置Ｐ１に戻る（図２（ａ）参照）。その結果、突出形状部１１は元の形状に戻り、前面パネル１０の定常時のデザインが維持されるようになる。
【００３０】
前述したように本発明の第１の実施の形態に係るディスク装置によれば、前面パネル１０の定常時のデザインを変えることなく、排出されるディスク５０の取り出しを容易に行えるようになる。
【００３１】
次に本発明の第２の実施の形態に係るディスク装置について説明する。この第２の実施の形態に係るディスク装置は、図３乃至図５に示すように構成される。なお、図３は、本発明の第２の実施の形態に係るディスク装置の要部の斜視図（ａ）及び正面図（ｂ）であり、図４は、第１可動部を引き込み位置と初期位置との間で往復動させるための駆動機構を示す平面図であり、図５は、第１可動部を引き込み位置にした状態の駆動機構を示す平面図である。
【００３２】
図３（ａ）において、このディスク装置は、前述した例（図１（ａ）参照）と同様に、ディスク再生駆動機構１００の前方に前面パネル１０が配置され、その前面パネル１０には突出形状部１１が形成され、更に、その突出形状部１１の前面にディスク挿排口１１ａが形成されている。そして、図３（ｂ）に示すように、前面パネル１０に形成された突出形状部１１の略中央部におけるディスク挿排口１１ａから上方の部分が前後方向（図３（ｂ）の紙面に垂直な方向）に摺動自在となる第１可動部１４（１）となっており、突出形状部１１のディスク挿排口１１ａを挟んで前記可動部１４（１）の逆側となる部分が同様に前後方向に摺動自在となる第２可動部１４（２）となっている。前記第１可動部１４（１）は、ディスク再生駆動機構１００からディスク５０を排出させるための排出スイッチ（イジェクト釦）を兼ねている。
【００３３】
突出形状部１１の形成された前面パネル１０内には図４に示すような第１可動部１４（１）を引き込み位置と初期位置との間で往復動させるための駆動機構が設けられている。この駆動機構は、第１可動部１４（１）を挟んで左右対称となるように配置された第１レバーユニット２０ａと第２レバーユニット２０ｂとを有している。第１レバーユニット２０ａは、駆動レバー２１ａとディスク係合レバー２２ａとが略直角にて連結され、それらの連結部が回動自在に回動軸ピン２３ａにて支持された構造となっている。第１可動部１４（１）には、略弧状のガイド溝１５ａが形成されており、駆動レバー２１ａのディスク係合レバー２２ａとの連結部と逆側の端部に固定されたピン２４ａがガイド溝１５ａに摺動自在に係合している。また、回動軸ピン２３ａにはねじりバネ２５ａが巻きかけられており、このねじりバネ２５ａによって第１レバーユニット２０ａが常に時計回り方向に付勢されている。第１レバーユニット２０ａは、排出されるディスク５０の外周部にディスク係合レバー２２ａが当接係合するように配置されており、ねじりバネ２５ａによって時計回り方向に付勢される第１レバーユニット２０ａのディスク係合レバー２２ａがディスク５０の外周部に押圧されるようになっている。
【００３４】
第２レバーユニット２０ｂも、前述した第１レバーユニット２０ａと同様に、駆動レバー２１ｂとディスク係合レバー２２ｂとが連結した構造となり、それらの連結部が回動軸ピン２３ｂにて回動自在に支持されている。そして、回動軸ピン２３ｂにねじりバネ２５ｂが巻きかけられて、第２レバーユニット２０ｂが常に反時計回り方向に付勢されている。第２レバーユニット２０ｂは、排出されるディスク５０の外周部にディスク係合レバー２２ｂが当接係合するように配置されており、ねじりバネ２５ｂによって反時計回り方向に付勢される第２レバーユニット２０ｂのディスク係合レバー２２ｂがディスク５０の外周部に押圧されるようになっている。
【００３５】
なお、図示されてはいないが、第２可動部１４（２）に対しても、ディスク係合レバー２２ａ、２２ｂを前記第１可動部１４（１）に対するものと共用して同様の構造となる駆動機構が設けられている。第１可動部１４（１）及び第２可動部１４（２）が図４に示す初期位置にある状態では、ディスク挿排口１１ａの第１可動部１４（１）（第２可動部１４（２））に対応した部分は、他の部分と同様に突出形状部１１の前面位置Ｐ１となっている。
【００３６】
このようなディスク装置では、第１可動部１４（１）を押動してディスク５０の排出操作がなされると、ディスク５０が搬送ローラ１１０によってディスク再生駆動機構１００から送り出されて前面パネル１０の突出形状部１１のディスク挿排口１１ａから排出される。その過程で、ディスク５０の外周部が第１レバーユニット２０ａ及び第２レバーユニット２０ｂのディスク係合レバー２２ａ、２２ｂに当接しつつ前方（図４における下方向）に移動していくと、第１レバーユニット２０ａのディスク係合レバー２２ａが外方に押されて、第１レバーユニット２０ａがねじりバネ２５ａによる付勢に抗して回動軸ピン２３ａを中心にして反時計回り方向に回動すると共に、第２レバーユニット２０ｂのディスク係合レバー２２ｂが外方に押されて、第２レバーユニット２０ｂがねじりバネ２５ｂによる付勢に抗して回動軸ピン２３ｂを中心にして時計回り方向に回動する。
【００３７】
このようにディスク５０が排出される過程で、第１レバーユニット２０ａが反時計回り方向に、第２レバーユニット２０ｂが時計回り方向にそれぞれ回動すると、第１レバーユニット２０ａにおける駆動レバー２１ａの反時計回り方向への回動及び第２レバーユニット２０ｂにおける駆動レバー２１ｂの時計回り方向への回動によって、ガイド溝１５ａ、１５ｂに係合するピン２４ａ、２４ｂを介して各駆動レバー２１ａ、２１ｂに連結される第１可動部１４（１）が後方（図４における上方向）に移動させられる。
【００３８】
そして、図５に示すように、ディスク５０が搬送ローラ１１０の送り限界に達すると、ディスク５０の排出動が停止し、第１可動部１４（１）（第２可動部１４（２））が引き込み位置に達する。この状態で、ディスク挿排口１１ａの第１可動部１４（１）（第２可動部１４（２））に対応した部分が位置Ｐ２に後退しており、その結果、相対的にその部分でのディスク５０の露出量が多くなって、ディスク５０の中央部に形成された孔５１が露出するようになる。このため、その露出した孔５１に指をかけてディスク５０を容易に取出すことができるようになる。
【００３９】
また、ディスク５０をディスク挿排口１１ａから引抜くようにして取出す際に、ねじりバネ２３ａの付勢によってディスク係合レバー２２ａがディスク５０の外周部との当接状態を維持しつつ第１レバーユニット２０ａが時計回り方向に回動すると共に、ねじりバネ２３ｂの付勢によってディスク係合レバー２２ｂがディスク５０の外周部との当接状態を維持しつつ第２レバーユニット２０ｂが反時計回り方向に回動する。このようにディスク５０が取出される過程で、第１レバーユニット２０ａが時計回り方向に、第２レバーユニット２０ｂが反時計回り方向にそれぞれ回動すると、第１レバーユニット２０ａにおける駆動レバー２１ａの時計回り方向への回動及び第２のレバーユニット２０ｂにおける駆動レバー２１ｂの反時計回り方向への回動により、各駆動レバー２１ａ、２１ｂに連結する第１可動部１４（１）が前方に移動させられる。そして、ディスク５０がディスク挿排口１１ａから完全に取出されると、第１可動部１４（１）（第２可動部１４（２））は初期位置に戻ってディスク挿排口１１ａの第１可動部１４（１）（第２可動部１４（２））に対応した部分は突出形状部１１の前面位置Ｐ１に戻る（図４参照）。その結果、突出形状部１１は元の形状に戻り、前面パネル１０の定常時のデザインが維持されるようになる。
【００４０】
前述したように本発明の第２の実施の形態に係るディスク装置によれば、前面パネル１０の定常時のデザインを変えることなく、排出されるディスク５０の取り出しを容易に行えるようになる。また、第１可動部１４（１）がディスク５０の排出スイッチ（イジェクト釦）を兼ねていることから、ディスク５０の排出時に余分な操作を行なうことなく、容易にディスク５０の取り出しを行なうことができるようになる。
【００４１】
なお、ディスク５０をディスク挿排口１１ａから挿入する場合、前述した駆動機構が動作して第１可動部１４（１）（第２可動部１４（２））が初期位置と引き込み位置との間で往復動してしまう。しかし、ディスク５０がディスク再生駆動機構１００にセットされた状態では、第１可動部１４（１）（第２可動部１４（２）は初期位置となるので、突出形状部１１は元の形状となって、前面パネル１０の定常時のデザインが維持されるようになる。
【００４２】
更に、本発明の第３の実施の形態に係るディスク装置について説明する。この第３の実施の形態に係るディスク装置は、図６乃至図１２に示すように構成される。なお、図６は、本発明の第３の実施の形態に係るディスク装置における前面パネルを示す正面図であり、図７乃至図１２は、駆動部に対するロック・アンロック機構を示す平面図である。
【００４３】
図６において、このディスク装置は、前面パネル１０には突出形状部１１が形成され、その突出形状部１１の前面にディスク挿排口１１ａが形成されている。また、前面パネル１０に形成された突出形状部１１の略中央部におけるディスク挿排口１１ａから上方の部分が前後方向（図６の紙面に垂直な方向）に摺動自在となる可動部１４となっている。なお、図示されていないが、前面パネルユニット１０の背後には、前述した各実施の形態と同様に、ディスク再生駆動機構１００が配置されており、ディスク挿排口１１ａを通してディスク５０のディスク再生駆動機構１００への引き込み及びディスク再生駆動機構からの排出がなされるようになっている。また、前記可動部１４は、ディスク再生駆動機構１００からディスク５０を排出させるための排出スイッチ（イジェクト釦）を兼ねている。
【００４４】
突出形状部１１の形成された前面パネル１０内には図７に示すような可動部１４を引き込み位置にロックし、ディスク５０の取り出しに応じてそのロックを解除するロック・アンロック機構が設けられている。このロック・アンロック機構は、第１レバーユニット３０ａと第２レバーユニットとが可動部１４を挟むように配置された構造となっている。前面パネル１０より内側（後方側）の端部が回動支持ピン３１ａ、３１ｂにより回動自在に支持されており、その支持される端部と逆側の端部（前方側）にディスク係合爪３３ａ、３３ｂが形成されている。また、第１レバーユニット３０ａ及び第２レバーユニット３０ｂにおける回動支持ピン３１ａ、３１ｂとディスク係合爪３３ａ、３３ｂとの間の所定位置にはロック爪３２ａ、３２ｂが形成されている。各ロック爪３２ａ、３２ｂの手前側面が傾斜面となっており、その後ろ側面は、前面パネル１０の表面と略平行となっている。
【００４５】
第１レバーユニット３０ａの近傍には、時計回り方向に回動しようとする第１レバーユニット３０ａの回動支持ピン３１ａとロック爪３２ａとの間の所定部位を押圧付勢する第１押圧機構３５ａが設けられている。また、第２レバーユニット３０ｂの近傍には、反時計回り方向に回動しようとする第２レバーユニット３０ｂの回動支持ピン３１ｂとロック爪３２ｂとの間の所定部位を押圧付勢する第２押圧機構３５ｂが設けられている。
【００４６】
前面パネル１０の突出形状部１１内において前後動可能となる可動部１４の背面にはロックプレート１６が設けられている。ロックプレート１６の幅は、第１レバーユニット３０ａのロック爪３２ａと第２レバーユニット３０ｂのロック爪３２ｂとの間の隙間より僅かに広く設定されている。また、ロックプレート１６の背後には、ロックプレート１６の略中央部に押圧力を作用させる付勢機構３８が設けられている。
【００４７】
図７に示すように、可動部１４が初期位置にある状態では、ディスク挿排口１１ａの可動部１４に対応した部分は、他の部分と同様に突出形状部１１の前面位置Ｐ１となっている。
【００４８】
このようなディスク装置では、利用者の押し込み操作によって可動部１４が付勢機構３８による付勢に抗して後退する過程で、図８に示すように、ロックプレート１６の両端部が第１レバーユニット３０ａ及び第２レバーユニット３０ｂの各ロック爪３２ａ、３２ｂの傾斜面となる手前側面を摺動しつつ押してゆく。すると、第１レバーユニット３０ａが第１押圧機構３５ａからの押圧付勢に抗して回動支持ピン３１ａを中心に時計回り方向に回動すると共に、第２レバーユニット３０ｂが第２押圧機構３５ｂからの押圧付勢に抗して回動支持ピン３１ｂを中心に反時計回り方向に回動する。
【００４９】
そして、可動部１４が引き込み位置に達すると、図９に示すように、ロックプレート１６が第１レバーユニット３０ａ及び第２レバーユニット３０ｂの各ロック爪３２ａ、３２ｂの傾斜面となる手前側面から後ろ側面に移る。このとき、第１レバーユニット３０ａ及び第２レバーユニット３０ｂは第１押圧機構３５ａ及び第２押圧機構３５ｂによって押圧付勢されて、元の状態に回動復帰する。その結果、各ロック爪３２ａ、３２ｂがロックプレート１６の端部の前方に位置するようになって、ロックプレート１６の前方への移動が阻止された状態となる。これにより、ロックプレート１６と一体となる可動部１４が前記引き込み位置にロックされた状態となる。この状態で、ディスク挿排口１１ａの可動部１４に対応した部分の位置が前記前面位置Ｐ１より後方の位置Ｐ２となる。
【００５０】
ディスクの排出スイッチ（イジェクト釦）を兼ねる可動部１４の前記押し込み操作によってディスク５０の排出指示がなされている。これにより、ディスク５０が搬送ローラ１１０によってディスク再生駆動機構１００から送り出され、前面パネル１０の突出形状部１１に形成されたディスク挿排口１１ａから排出される。そして、ディスク５０が搬送ローラ１１０の送り限界に達すると、ディスク５０の排出動が停止する。このようにディスク５０の排出動が停止すると、図１０に示すように、既に可動部１４が引き込み位置まで後退してディスク挿排口１１ａの可動部１４に対応した部分が位置Ｐ２に後退しているので、相対的にその部分でのディスク５０の露出量が多くなり、ディスク５０の中央部に形成された孔５１が露出するようになる。このため、図１１に示すように、その露出した孔５１に指Ｆをかけて容易に取出すことができるようになる。
【００５１】
このようにディスク５０が取出される際に、ディスク挿排口１１ａを通って移動するディスク５０の外周部が第１レバーユニット３０ａ及び第２レバーユニット３０ｂのディスク係合爪３３ａ、３３ｂに摺接し、それらディスク係合爪３３ａ、３３ｂの間が押し広げられていく。これにより、第１レバーユニット３０ａが第１押圧機構３５ａによる押圧付勢に抗して時計回り方向に回動すると共に、第２レバーユニット３０ｂが第２押圧機構３５ｂによる押圧付勢に抗して反時計回り方向に回動する。
【００５２】
このような第１レバーユニット３０ａ及び第２レバーユニット３０ｂの回動支持ピン３１ａ、３１ｂを中心とした回動によって、各ロック爪３２ａ、３２ｂ間の距離が広がると、各ロック爪３２ａ、３２ｂとロックプレート１６の端部との引っ掛かりがはずれる。すると、図１２に示すように、付勢機構３８からの付勢によって可動部１４が前方に押出される。そして、可動部１４が初期位置に戻ってディスク挿排口１１ａの可動部１４に対応した部分は突出形状部１１の前面位置Ｐ１に戻ることにより（図７参照）、突出形状部１１は元の形状となり、前面パネル１０の定常時のデザインが維持される。
【００５３】
前述したように本発明の第３の実施の形態に係るディスク装置によれば、前面パネル１０の定常時のデザインを変えることなく、排出されるディスク５０の取り出しを容易に行なえるようになる。また、この場合も、可動部１４がディスク５０の排出スイッチ（イジェクト釦）を兼ねていることから、ディスク５０の排出時に余分な操作を行なうことなく、容易にディスク５０の取り出しを行なうことができるようになる。
【００５４】
なお、前述した本発明の第３の実施の形態に係るディスク装置では、ディスク再生駆動機構１００にディスク５０がセットされていない状態で、可動部１４を押し込むとロックされてしまう。この場合、ディスク５０をディスク挿排口１１ａから挿入すると、ディスク係合爪３３ａ、３３ｂが挿入されるディスク５０の外周部を摺動して第１レバーユニット３０ａ及び第２レバーユニット３０ｂが開くことから、前記ロックが解除される。これにより、可動部１４は付勢機構３８によって自動的に初期位置に復帰する。
【００５５】
可動部１４のロック状態を強制的に解除するために、図１３（ａ）、（ｂ）に示すような機構を設けることもできる。この機構は、第１レバーユニット３０ａのロック爪３２ａとディスク係合爪３３ａとの間の部位に接続され、突出形状部１１の下方に突出する第１強制ロック解除レバー３９ａと、第２レバーユニット３０ｂのロック爪３２ｂとディスク係合爪３３ａとの間の部位に接続され、突出形状部１１の下方に突出する第２強制ロック解除レバー３９ｂとを有している。第１レバーユニット３０ａ及び第２レバーユニット３０ｂが回動支持ピン３１ａ、３１ｂを回動する際における第１強制ロック解除レバー３９ａ及び第２強制ロック解除レバー３９ｂの動きが阻止されないように突出形状部１１には第１強制ロック解除レバー３９ａ及び第２強制ロック解除レバー３９ｂが通る長孔が形成されている。
【００５６】
このようなロック状態の強制解除機構によれば、第１強制ロック解除レバー３９ａ及び第２強制ロック解除レバー３９ｂをそれぞれ離れるように外方に移動させると、それに伴って第１レバーユニット３０ａ及び第２レバーユニット３０ｂが広がって可動部１４のロック状態が強制的に解除されるようになる。
【００５７】
なお、前述した各例では、突出形成部１１を部分的（１２、１４（１）、１４（２）、１４）に引き込み位置と初期位置との間で前後動させるようにしたが、突出形成部１１全体を引き込み位置と初期位置との間で前後動させるように構成することもできる。この場合、突出形成部１１全体が可動部となる。
【産業上の利用可能性】
【００５８】
以上、説明したように、本発明に係るディスク装置は、前面パネルの定常時のデザインを変えることなく、排出されるディスクの取り出しを容易に行い得るという効果を有し、ディスク再生駆動機構の前方に配置された前面パネルに形成されるディスク挿排口を通してＣＤ（Compact Disc）、ＤＶＤ（Digital Versatile Disc）等のディスクの前記ディスク再生駆動機構への引き込み及び前記ディスク再生駆動機構からの排出がなされるようにしたディスク装置として有用である。
【図面の簡単な説明】
【００５９】
【図１】本発明の第１の実施の形態に係るディスク装置の要部の斜視図（ａ）及び正面図（ｂ）である。
【図２】図１におけるＡ−Ａ断面図（ａ）及び可動部が引き込み位置となった状態の同Ａ−Ａ断面図（ｂ）である。
【図３】本発明の第２の実施の形態に係るディスク装置の要部の斜視図（ａ）及び正面図（ｂ）である。
【図４】図３に示すディスク装置における第１可動部を引き込み位置と初期位置との間で往復動させるための駆動機構を示す平面図（その１）である。
【図５】図３に示すディスク装置における第１可動部を引き込み位置と初期位置との間で往復動させるための動機構を示す平面図（その２）である。
【図６】本発明の第３の実施の形態に係るディスク装置の要部の正面図である。
【図７】本発明の第３の実施の形態に係るディスク装置における可動部のロック・アンロック機構を示す平面図（その１）である。
【図８】本発明の第３の実施の形態に係るディスク装置における可動部のロック・アンロック機構を示す平面図（その２）である。
【図９】本発明の第３の実施の形態に係るディスク装置における可動部のロック・アンロック機構を示す平面図（その３）である。
【図１０】本発明の第３の実施の形態に係るディスク装置における可動部のロック・アンロック機構を示す平面図（その４）である。
【図１１】本発明の第３の実施の形態に係るディスク装置における可動部のロック・アンロック構を示す平面図（その５）である。
【図１２】本発明の第３の実施の形態に係るディスク装置における可動部のロック・アンロック機構を示す平面図（その６）である。
【図１３】可動部のロック状態を強制的に解除のための機構の一例を示す正面図（ａ）及び側面図（ｂ）である。
【符号の説明】
【００６０】
１０  前面パネル
１１  突出形状部
１１ａ  ディスク挿排口
１２  可動部
１３  付勢機構（スプリング）
１４（１）  第１可動部（イジェクト釦）
１４（２）  第２可動部
１５ａ、１５ｂ  ガイド溝
１６  ロックプレート
２０ａ  第１レバーユニット
２０ｂ  第２レバーユニット
２１ａ、２１ｂ  駆動レバー
２２ａ、２２ｂ  ディスク係合レバー
２３ａ、２３ｂ  回動軸ピン
２４ａ、２４ｂ  ピン
２５ａ、２５ｂ  ねじりスプリング
３０ａ、３０ｂ  ロック・アンロック機構
３１ａ、３１ｂ  回動支持ピン
３２ａ、３２ｂ  ロック爪
３３ａ、３３ｂ  ディスク係合爪
３５ａ  第１押圧機構
３５ｂ  第２押圧機構
３８  付勢機構（スプリング）
３９ａ  第１強制ロック解除レバー
３９ｂ  第２強制ロック解除レバー
５０  ディスク（ディスク状記録媒体）
５１  孔
１００  ディスク再生駆動機構
１０１  フロントシャーシ板
１１０  搬送ローラ
【図１】
0004530227.tif 000002
【図２】
0004530227.tif 000003
【図３】
0004530227.tif 000004
【図４】
0004530227.tif 000005
【図５】
0004530227.tif 000006
【図６】
0004530227.tif 000007
【図７】
0004530227.tif 000008
【図８】
0004530227.tif 000009
【図９】
0004530227.tif 000010
【図１０】
0004530227.tif 000011
【図１１】
0004530227.tif 000012
【図１２】
0004530227.tif 000013
【図１３】
0004530227.tif 000014